(57)【要約】【課題】大型化することなく、使い勝手の良い送電装置から受電装置へ電力を伝送する電力伝送システム、及び該電力伝送システムに用いる送電装置を提供する。【解決手段】外部の電源に接続され、磁界を発生させる平板状の第一のコイルを有する送電装置と、電力を伝送される平板状の第二のコイルを有する受電装置とを備える。送電装置は、受電装置に差し込まれている場合には外部のデータ転送装置と受電装置との間でデータ転送することが可能なコネクタとして形成してある。また、受電装置に差し込まれることなく、磁気結合により電力を伝送する。【選択図】図１
2012075283.tif 000002
【特許請求の範囲】
【請求項１】
外部の電源に接続され、磁界を発生させる平板状の第一のコイルを有する送電装置と、電力を伝送される平板状の第二のコイルを有する受電装置と
を備える電力伝送システムにおいて、
前記送電装置は、
前記受電装置に差し込まれている場合には外部のデータ転送装置と前記受電装置との間でデータ転送することが可能なコネクタとして形成してあることを特徴とする電力伝送システム。
【請求項２】
前記送電装置は、前記外部のデータ転送装置と接続することが可能な他のコネクタと接続線を介して接続してあることを特徴とする請求項１記載の電力伝送システム。
【請求項３】
前記送電装置に前記第一のコイルを備え、前記他のコネクタに送電モジュールを離隔して備えることを特徴とする請求項２に記載の電力伝送システム。
【請求項４】
前記送電装置は、前記接続線側に延長部を有し、
該延長部に前記第一のコイル及び／又は前記送電モジュールを配置してあることを特徴とする請求項２に記載の電力伝送システム。
【請求項５】
前記電源に接続するアダプタと前記他のコネクタとを接続することが可能としてあることを特徴とする請求項２乃至４のいずれか一項に記載の電力伝送システム。
【請求項６】
前記第一のコイルは、前記送電装置の前記コネクタを構成するプラグシャーシに取り付けてあることを特徴とする請求項１乃至５のいずれか一項に記載の電力伝送システム。
【請求項７】
前記受電装置は、前記送電装置が前記コネクタとして差し込まれているか否かを検知する検知手段を有し、
該検知手段が、前記送電装置が前記コネクタとして差し込まれていることを検知した場合、該コネクタを介して電力を伝送するようにしてあることを特徴とする請求項１乃至６のいずれか一項に記載の電力伝送システム。
【請求項８】
外部の電源に接続され、磁界を発生させる平板状の第一のコイルを有しており、平板状の第二のコイルを有する受電装置へ電力を供給する送電装置において、
前記受電装置に差し込まれている場合には外部のデータ転送装置と前記受電装置との間でデータ転送することが可能なコネクタとして形成してあることを特徴とする送電装置。
【請求項９】
前記外部のデータ転送装置と接続することが可能な他のコネクタと接続線を介して接続してあることを特徴とする請求項８記載の送電装置。
【請求項１０】
前記他のコネクタに送電モジュールを離隔して備えることを特徴とする請求項９に記載の送電装置。
【請求項１１】
前記接続線側に延長部を有し、
該延長部に前記第一のコイル及び／又は前記送電モジュールを配置してあることを特徴とする請求項１０に記載の送電装置。
【請求項１２】
前記第一のコイルは、前記送電装置の前記コネクタを構成するプラグシャーシに取り付けてあることを特徴とする請求項８乃至１１のいずれか一項に記載の送電装置。
【発明の詳細な説明】
【技術分野】
【０００１】
本発明は、磁気結合により送電装置から受電装置へ電力を伝送する電力伝送システム、及び該電力伝送システムに用いる送電装置に関する。
【背景技術】
【０００２】
近年、非接触で電力を伝送して充電する通信機等の電子機器が開発されている。電子機器間で非接触で電力を伝送するためには、電力を送電する送電装置側の電子機器と、電力を受電する受電装置側の電子機器との両方に非接触型電力伝送用のコイルモジュールを設ける必要がある。
【０００３】
また、コイルモジュールを用いて電力を伝送する場合、送電装置側のコイルモジュールと、受電装置側のコイルモジュールとで、位置合わせを行わないと、効率良く電力を伝送することができない。効率良く電力を伝送するために、例えば特許文献１では、コイルモジュールの位置を検出することで精度良く位置合わせを行うことができる非接触充電装置が開示されている。
【０００４】
電力を伝送する方法としては、非接触ではなく、有接点で電力を伝送しても良い。例えば特許文献２には、ＵＳＢケーブル等の信号伝送用のケーブルを用いて有接点で電力を伝送する電力供給方式が開示されている。もちろん、電力伝送については非接触でも良いが、その場合、信号伝送用のＵＳＢケーブルと電力伝送用の送電装置とを別々に設けることになる。
【先行技術文献】
【特許文献】
【０００５】
【特許文献１】特開２００９−１９５０３４号公報
【特許文献２】特開２００３−０４６８５３号公報
【発明の概要】
【発明が解決しようとする課題】
【０００６】
しかし、特許文献１のようにコイルモジュールの位置を検出するためには、専用のセンサ、制御システム等を別個に必要とし、全体として高コストになるという問題点があった。さらに、送電装置が大型化しやすく、持ち運び自体が不便となり、特に携帯することを主とする小型電子機器においては充電インフラとして不適である。
【０００７】
また、特許文献２では、有接点で電力を伝送する場合、電力の伝送時にはコネクタを差し込み、不要時には引き抜くという作業が必要となり使い勝手が悪いという問題点があった。さらに非接触で電力を伝送する場合、信号伝送用のＵＳＢケーブルと電力伝送用の送電装置とを別々に設けることになるため、装置全体が大型化し、コストを低減することが困難であるという問題点があった。
【０００８】
本発明は、上記事情に鑑みてなされたものであり、大型化することなく、使い勝手の良い送電装置から受電装置へ電力を伝送する電力伝送システム、及び該電力伝送システムに用いる送電装置を提供することを目的とする。
【課題を解決するための手段】
【０００９】
上記目的を達成するために第１発明に係る電力伝送システムは、外部の電源に接続され、磁界を発生させる平板状の第一のコイルを有する送電装置と、電力を伝送される平板状の第二のコイルを有する受電装置とを備える電力伝送システムにおいて、前記送電装置は、前記受電装置に差し込まれている場合には外部のデータ転送装置と前記受電装置との間でデータ転送することが可能なコネクタとして形成してあることを特徴とする。
【００１０】
第１発明において、送電装置は、外部の電源に接続され、磁界を発生させる平板状の第一のコイルを有しており、受電装置は、平板状の第二のコイルを有している。送電装置は、受電装置に差し込まれている場合には外部のデータ転送装置と受電装置との間でデータ転送することが可能なコネクタとして形成してあるので、受電装置に差し込まれているか否かに応じて、データ通信に用いるか、電力伝送に用いるかを使い分けることが可能となる。また、送電装置は、受電装置に差し込まれていない場合には第一のコイルと第二のコイルとの磁気結合により非接触で電力を伝送することが可能となる。
【００１１】
また、第２発明に係る電力伝送システムは、第１発明において、前記送電装置は、前記外部のデータ転送装置と接続することが可能な他のコネクタと接続線を介して接続してあることを特徴とする。
【００１２】
第２発明において、送電装置は、外部のデータ転送装置と接続することが可能な他のコネクタと接続線を介して接続してあるので、送電装置が受電装置に差し込まれている場合には外部のデータ転送装置と受電装置との間でデータ転送することが可能となる。
【００１３】
また、第３発明に係る電力伝送システムは、第２発明において、前記送電装置に前記第一のコイルを備え、前記他のコネクタに送電モジュールを離隔して備えることを特徴とする。
【００１４】
第３発明において、送電装置に第一のコイルを備え、他のコネクタに送電モジュールを離隔して備えることにより、発熱しやすい第一のコイルと、回路で構成されている送電モジュールとを十分に離すことができ、送電装置全体として発熱することを回避することができる。また、送電モジュールが複雑になった場合であっても、送電装置のサイズの増大を最小限に抑制することも可能となる。
【００１５】
また、第４発明に係る電力伝送システムは、第２発明において、前記送電装置は、前記接続線側に延長部を有し、該延長部に前記第一のコイル及び／又は前記送電モジュールを配置してあることを特徴とする。
【００１６】
第４発明において、送電装置は、接続線側に延長部を有し、該延長部に第一のコイル及び／又は送電モジュールを配置してある。これにより、例えばＰＣ（Ｐｅｒｓｏｎａｌ  Ｃｏｍｐｕｔｅｒ）のＵＳＢソケットのように複数のソケットが近接して配置されている場合であっても隣接するコネクタ間で物理的な干渉が生じることを回避することができ、送電装置をコネクタとして確実に受電装置に差し込むことが可能となる。
【００１７】
また、第５発明に係る電力伝送システムは、第２乃至第４発明のいずれか１つにおいて、前記電源に接続するアダプタと前記他のコネクタとを接続することが可能としてあることを特徴とする。
【００１８】
第５発明において、電源に接続するアダプタと他のコネクタとを接続することが可能としてあることにより、非接触での電力の伝送効率が低い場合であっても、受電装置に内蔵されている二次電池を充電することが可能となる。
【００１９】
また、第６発明に係る電力伝送システムは、第１乃至第５発明のいずれか１つにおいて、前記第一のコイルは、前記送電装置の前記コネクタを構成するプラグシャーシに取り付けてあることを特徴とする。
【００２０】
第６発明において、第一のコイルは、発生する熱を送電装置のプラグシャーシに伝搬して放熱することができ、放熱効果を高めることができる。
【００２１】
また、第７発明に係る電力伝送システムは、第１乃至第６発明のいずれか１つにおいて、前記受電装置は、前記送電装置が前記コネクタとして差し込まれているか否かを検知する検知手段を有し、該検知手段が、前記送電装置が前記コネクタとして差し込まれていることを検知した場合、該コネクタを介して電力を伝送するようにしてあることを特徴とする。
【００２２】
第７発明において、受電装置は、送電装置がコネクタとして差し込まれているか否かを検知する検知手段を有し、該検知手段が、送電装置がコネクタとして差し込まれていることを検知した場合、コネクタを介して電力を伝送する。これにより、送電装置がコネクタとして受電装置に差し込まれている場合には、外部のデータ転送装置と受電装置との間で有線で電力を伝送し、差し込まれていない場合にはコイルを介して非接触で磁気結合により電力を伝送することが可能となる。
【００２３】
次に、上記目的を達成するために第８発明に係る送電装置は、外部の電源に接続され、磁界を発生させる平板状の第一のコイルを有しており、平板状の第二のコイルを有する受電装置へ電力を供給する送電装置において、前記受電装置に差し込まれている場合には外部のデータ転送装置と前記受電装置との間でデータ転送することが可能なコネクタとして形成してあることを特徴とする。
【００２４】
第８発明において、送電装置は、外部の電源に接続され、磁界を発生させる平板状の第一のコイルを有しており、受電装置は、平板状の第二のコイルを有している。送電装置は、受電装置に差し込まれている場合には外部のデータ転送装置と受電装置との間でデータ転送することが可能なコネクタとして形成してあるので、受電装置に差し込まれているか否かに応じて、データ通信に用いるか、電力伝送に用いるかを使い分けることが可能となる。また、送電装置は、受電装置に差し込まれていない場合には第一のコイルと第二のコイルとの磁気結合により非接触で電力を伝送することが可能となる。
【００２５】
また、第９発明に係る送電装置は、第８発明において、前記外部のデータ転送装置と接続することが可能な他のコネクタと接続線を介して接続してあることを特徴とする。
【００２６】
第９発明において、外部のデータ転送装置と接続することが可能な他のコネクタと接続線を介して接続してあるので、送電装置が受電装置に差し込まれている場合には外部のデータ転送装置と受電装置との間でデータ転送することが可能となる。
【００２７】
また、第１０発明に係る送電装置は、第９発明において、前記他のコネクタに送電モジュールを離隔して備えることを特徴とする。
【００２８】
第１０発明において、他のコネクタに送電モジュールを離隔して備えることにより、発熱しやすい第一のコイルと、回路で構成されている送電モジュールとを十分に離すことができ、送電装置全体として発熱することを回避することができる。また、送電モジュールが複雑になった場合であっても、コネクタのサイズの増大を最小限に抑制することも可能となる。
【００２９】
また、第１１発明に係る送電装置は、第１０発明において、前記接続線側に延長部を有し、該延長部に前記第一のコイル及び／又は前記送電モジュールを配置してあることを特徴とする。
【００３０】
第１１発明において、接続線側に延長部を有し、該延長部に第一のコイル及び／又は送電モジュールを配置してある。これにより、例えばＰＣ（Ｐｅｒｓｏｎａｌ  Ｃｏｍｐｕｔｅｒ）のＵＳＢソケットのように複数のソケットが近接して配置されている場合であっても隣接するコネクタ間で物理的な干渉が生じることを回避することができ、送電装置をコネクタとして確実に受電装置に差し込むことが可能となる。
【００３１】
また、第１２発明に係る送電装置は、第８乃至第１１発明のいずれか１つにおいて、前記第一のコイルは、前記送電装置の前記コネクタを構成するプラグシャーシに取り付けてあることを特徴とする。
【００３２】
第１２発明において、第一のコイルは、発生する熱を送電装置のプラグシャーシに伝搬して放熱することができ、放熱効果を高めることができる。
【発明の効果】
【００３３】
本発明に係る電力伝送システムでは、送電装置は、外部の電源に接続され、磁界を発生させる平板状の第一のコイルを有しており、受電装置は、平板状の第二のコイルを有している。送電装置は、受電装置に差し込まれている場合には外部のデータ転送装置と受電装置との間でデータ転送することが可能なコネクタとして形成してあるので、受電装置に差し込まれているか否かに応じて、データ通信に用いるか、電力伝送に用いるかを使い分けることが可能となる。また、送電装置は、受電装置に差し込まれていない場合には第一のコイルと第二のコイルとの磁気結合により非接触で電力を伝送することが可能となる。
【図面の簡単な説明】
【００３４】
【図１】本発明の実施の形態に係る電力伝送システムの送電装置の構成を模式的に示す平面図である。
【図２】図１に示す送電装置のＡ−Ａ断面図である。
【図３】本発明の実施の形態に係る電力伝送システムの使用状態を説明するための模式図である。
【図４】本発明の実施の形態に係る電力伝送システムの送電装置の構成例を示す模式図である。
【図５】本発明の実施の形態に係る送電装置の構成を模式的に示す斜視図である。
【図６】本発明の実施の形態に係る送電装置の延長部を有する場合の構成を模式的に示す斜視図である。
【図７】本発明の実施の形態に係る電力伝送システムの充電経路切り替え手段を備える場合の構成を示すブロック図である。
【発明を実施するための形態】
【００３５】
以下、本発明の実施の形態に係る電力伝送システム及び該電力伝送システムに用いる送電装置について、図面を用いて具体的に説明する。以下の実施の形態は、特許請求の範囲に記載された発明を限定するものではなく、実施の形態の中で説明されている特徴的事項の組み合わせの全てが解決手段の必須事項であるとは限らないことは言うまでもない。
【００３６】
図１は、本発明の実施の形態に係る電力伝送システムの送電装置の構成を模式的に示す平面図である。図１は、送電装置１の構成を示す平面図であり、図２は、図１に示す送電装置１のＡ−Ａ断面図である。図１、図２に示すように、送電装置１は、平板状のコイル（第一のコイル）２と、磁性体材料を含有する平板状の樹脂構造体３と、コイル２と電気的に接続し、コイル２で伝送する電力を制御する複数の電子部品４１を実装した回路基板４とを備えている。また、送電装置１は、ＰＣ等とデータ通信することが可能な通信コネクタとしても機能する。そのため、送電装置１は、受電装置２に差し込むプラグ１１を一端に有し、外部とデータ通信するための通信モジュール１２と、外部と接続するための外部インタフェース１３とを備え、外部の電源と接続することが可能な他のコネクタと接続線１４を介して接続してある。
【００３７】
コイル２は、銅線等の導体を、同一平面で渦巻状に形成している。なお、コイル２の外形は、略円形に形成しているが、略楕円形に形成しても、略四角形に形成しても良い。
【００３８】
樹脂構造体３は、フェライト等の磁性体材料を粉体にして混練した硬化性樹脂が平板状に成形されている。また、コイル２は、樹脂構造体３の一面である一方の面（磁界結合する面）３１側に偏って内蔵されている。つまり、コイル２から樹脂構造体３の一方の面３１までの厚みを、コイル２から樹脂構造体３の一方の面３１とは反対側の他方の面までの厚みに比べて薄くしている。
【００３９】
コイル２から樹脂構造体３の一方の面３１までの厚みは、特に図１及び図２に示すように薄くする形態に限定されるものではない。しかし、薄くすることで、樹脂構造体３の一方の面３１以外の全ての面において、磁性体材料を含有する硬化性樹脂でコイル２を覆うことができるので、一方の面３１以外の全ての面に生じるコイル２の磁束を樹脂構造体３内に閉じ込めることができる。したがって、コイル２における樹脂構造体３の一方の面３１方向へのインダクタンスの特性を高くするとともに、一方の面３１以外の全ての面の磁気シールド機能を高くすることができる。
【００４０】
回路基板４は、コイル２に対して水平方向に配置して、少なくとも回路基板４の一部を樹脂構造体３に内蔵してある。回路基板４には、コイル２で伝送する電力を制御する複数の電子部品４１を実装してあり、少なくとも電力制御回路、インバータ回路を構成する。回路基板４は、複数の電子部品４１を回路基板４に形成された端子に電気的に接続するのではなく、回路基板４に形成された端子に電気的に接続するサブ回路基板４２に形成された端子に電気的に接続し、サブ回路基板４２を介して回路基板４に実装してある。そのため、回路基板４に形成された端子のパターンを変更することなく、サブ回路基板４２を変更するだけで回路基板４に実装する複数の電子部品４１の構成を変更することができる。なお、サブ回路基板４２と、サブ回路基板４２に実装してある複数の電子部品４１とで送電モジュール４３を構成する。
【００４１】
回路基板４は、外部と接続するための外部インタフェース１３とも接続してある。送電装置１は、外部インタフェース１３を介して、他のコネクタが接続線１４を介して接続されている外部の電源等（図示せず）から、電力の供給を受けることができる。
【００４２】
図３は、本発明の実施の形態に係る電力伝送システムの使用状態を説明するための模式図である。図３では、送電装置１としてＵＳＢケーブルのコネクタを、受電装置５として携帯電話機を用いる場合について説明する。
【００４３】
図３（ａ）は、送電装置１のプラグ１１を受電装置５のソケット５２に差し込んだ状態を示している。この状態では、送電装置１のコイル（第一のコイル）２と受電装置５のコイル（第二のコイル）５１との間で電力の伝送は行われず、ＵＳＢケーブル（接続線）１４を介して接続されている外部のデータ転送装置（ＰＣ）と受電装置５との間のデータ転送が行われる。
【００４４】
図３（ｂ）は、送電装置１のプラグ１１を受電装置５のソケット５２から引き抜いた状態を示している。送電装置１のコイル２を受電装置５のコイル５１の位置に合わせるように、送電装置１を受電装置５に載置する。受電装置５のコイル５１の中心に設けてある磁石５３によって、送電装置１の位置が定まり、磁気結合により非接触で電力を確実に受電装置５へ伝送することができる。なお、接続線１４は、図示しない電源へ接続されている。接続線１４がＵＳＢケーブルである場合、他のコネクタが接続線１４を介して接続されている外部のＰＣに接続され、外部のＰＣから電力の供給を受けることになる。
【００４５】
図４は、本発明の実施の形態に係る電力伝送システムの送電装置１の構成例を示す模式図である。本実施の形態に係る送電装置１は、図４（ａ）に示すように、受電装置５に差し込むプラグ１１、コイル２、送電モジュール４３を備え、接続線１４を一端に有する。また、送電装置１は、接続線１４を介して他のコネクタ６と接続してあり、他のコネクタ６を、例えば外部のＰＣと接続する。この場合、外部のＰＣを電源として送電装置１へ電力を供給し、送電装置１から受電装置５へ電力を伝送する。
【００４６】
図４（ａ）では、送電装置１にコイル２及び送電モジュール４３の両方を備えているが、図４（ｂ）に示すように、コイル２と送電モジュール４３とを離隔して備えていても良い。すなわち、送電装置１にコイル２を備え、他のコネクタ６に送電モジュール４３を備えることにより、送電モジュール４３が複雑になった場合であっても、送電装置１自体を小型化できるとともに、発熱しやすいコイル２と送電モジュール４３とを十分に離すことができるので、送電装置全体として発熱することを回避することが可能となる。
【００４７】
また、携帯電話機、携帯端末装置等の受電装置５は、ソケット５２の形状がメーカ、機種、キャリア等に応じて相違する。この場合、図４（ｃ）に示すように、受電装置２の種類に応じて、送電装置１ａの大きさ、形状、プラグ１１ａの形状等が相違する。受電装置５の種類に対応する送電装置１ａを使用しない場合には、従来の方法では充電することができない。
【００４８】
しかし、図３（ｂ）に示すように、送電装置１のコイル２を、受電装置５のコイル５１に合わせるように、送電装置１を受電装置５に載置することにより、コイル２、５１を介して非接触で電力を伝送することができ、受電装置５の種類によらず充電することが可能となる。
【００４９】
なお、図４（ｄ）に示すように、他のコネクタ６に接続することが可能なＡＣアダプタ７を準備しても良い。すなわち、交流電源に接続することができるＡＣアダプタ７に、他のコネクタ６と接続することが可能なソケットを備えている。非接触での電力の伝送効率が低い場合に、ＡＣアダプタ７を介して送電装置１に交流電源から電力を供給することにより、受電装置５に内蔵されている二次電池を効果的に充電することが可能となる。
【００５０】
また、送電装置１は、プラグ１１の一部を構成するプラグシャーシにコイル２を取り付けることが好ましい。図５は、本発明の実施の形態に係る送電装置１の構成を模式的に示す斜視図である。
【００５１】
図５に示すように、プラグ１１の一部を構成するプラグシャーシにコイル２を取り付ける。プラグシャーシは金属であり接地電位に接続されている。コイル２を接地電位から絶縁するために熱伝導性の絶縁体シート５５がコイル２とプラグ１１との間に設けてある。プラグシャーシにコイル２を取り付けることにより、コイル２は発生する熱をプラグシャーシに伝搬して放熱することができる。すなわち、プラグシャーシを放熱板として機能させることができる。これにより、コイル２の放熱効果を高めることができる。なお、コイル２は絶縁被覆されているので、熱伝導性の絶縁体シート５５は必ずしも設ける必要はない。また、コイル２がプラグ１１のプラグシャーシに接着されていても良い。
【００５２】
また、送電装置１は、接続線１４側に延長部を設け、延長部にコイル２及び／又は送電モジュール４３を配置することが好ましい。図６は、本発明の実施の形態に係る送電装置１の延長部を有する場合の構成を模式的に示す斜視図である。
【００５３】
図６に示すように、延長部６１にコイル２及び送電モジュール４３を配置してあるので、送電装置１の幅が広くならない。したがって、例えばＰＣ（Ｐｅｒｓｏｎａｌ  Ｃｏｍｐｕｔｅｒ）のＵＳＢソケットのように複数のソケット５２が近接して配置されている場合であっても、隣接する送電装置１間で物理的な干渉が生じることがなく、確実に送電装置１のプラグ１１を受電装置５のソケット５２に差し込むことが可能となる。もちろん、図４（ｂ）に示すように、コイル２と送電モジュール４３とを離隔して配置してある場合も同様である。
【００５４】
なお、従来のＵＳＢケーブルと同様に、送電装置１のプラグ１１を受電装置５のソケット５２に差し込んで充電するのか、差し込まないでコイル２、５１を介して充電するのかを、プラグ１１が受電装置５に差し込まれているか否かに応じて切り替えても良い。図７は、本発明の実施の形態に係る電力伝送システムの充電経路切り替え手段を備える場合の構成を示すブロック図である。
【００５５】
図７に示すように、送電装置１は、図示しない交流電源（電源）にアダプタを介して他のコネクタ６を差し込み、プラグ１１が受電装置５のソケット７１に差し込まれているか否かで充電経路を制御する。すなわち、送電装置１のプラグ１１が受電装置５のソケット７１に差し込まれている場合、検知回路（検知手段）７２が差し込まれていることを検知する。切替回路７３は、検知回路７２が差し込まれていることを検知した場合には充電制御回路７４と接続して、二次電池７５を充電する。
【００５６】
送電装置１のプラグ１１が受電装置５のソケット７１に差し込まれていない場合、検知回路（検知手段）７２はプラグ１１が差し込まれていないことを検知する。切替回路７３は、検知回路７２がプラグ１１が差し込まれていないことを検知した場合には、受電モジュール７６と接続し、送電装置１のコイル２と受電装置５のコイル５１との位置合わせをすることで、磁気結合により電力を伝送する。これにより、二次電池７５を充電する充電経路に切り替えることができる。
【００５７】
以上のように、本発明の実施の形態に係る電力伝送システムは、送電装置１が受電装置５に差し込まれている場合には外部のデータ転送装置と受電装置５との間でデータ転送することが可能なコネクタとして形成してあるので、受電装置５に差し込まれているか否かに応じて、データ通信に用いるか、電力伝送に用いるかを使い分けることが可能となる。また、受電装置５に差し込まれていない場合には第一のコイル２と第二のコイル５１との磁気結合により非接触で電力を伝送することが可能となる。
【００５８】
その他、本発明は上記実施例に限定されるものではなく、本発明の趣旨の範囲内であれば多種の変形、置換等が可能であることは言うまでもない。例えば、送電装置１としてＵＳＢケーブルのコネクタを用いる場合に限定されるものではなく、コネクタ単体で送電装置１を構成しても良い。この場合、外部の電源とコネクタとは直接接続すれば良い。
【符号の説明】
【００５９】
１  送電装置
２  コイル（第一のコイル）
３  樹脂構造体
４  回路基板
５  受電装置
６  他のコネクタ
１１  プラグ
１４  接続線
４３  送電モジュール
５１  コイル（第二のコイル）
５２  ソケット
５３  磁石
【図１】
2012075283.tif 000003
【図２】
2012075283.tif 000004
【図３】
2012075283.tif 000005
【図４】
2012075283.tif 000006
【図５】
2012075283.tif 000007
【図６】
2012075283.tif 000008
【図７】
2012075283.tif 000009